(57)【特許請求の範囲】
【請求項１】
情報処理装置と、情報管理装置とを含み、
前記情報処理装置は、
観察対象についての記録の入力を受け付ける手段と、
前記入力が行われた時刻情報を含み、前記観察対象を特定する観察対象特定情報を、前記情報管理装置に送信する送信手段と、を含み、
前記情報管理装置は、
前記観察対象を撮像した画像情報を撮像時刻に関連付けて格納する格納手段と、
前記格納手段に格納された画像情報の中から、前記観察対象特定情報に含まれる前記入力が行われた時刻情報と、撮像時刻に基づいて画像情報を選択する選択手段と、
前記選択手段により選択された画像情報を前記情報処理装置に送信する画像情報送信手段と、を含み、
前記情報処理装置はさらに、
前記画像情報送信手段により送信された画像情報を前記観察対象についての記録を入力する画面に表示させる表示制御手段を含む
ことを特徴とする情報処理システム。
【請求項２】
前記格納手段は、複数の撮像装置によりそれぞれ撮像された複数の前記画像情報をそれぞれの撮像時刻に関連づけて格納し、
前記選択手段は、前記格納手段に格納された画像情報の中から、前記観察対象特定情報に含まれる時刻情報に最も撮像時刻が近い画像情報を、前記複数の撮像装置ごとに選択し、
前記画像情報送信手段は、前記選択手段により前記複数の撮像装置ごとに選択された複数の画像情報を前記情報処理装置に送信し、
前記表示制御手段は、前記画像情報送信手段により送信された複数の画像情報を前記観察対象についての記録を前記入力する画面に表示させる
ことを特徴とする請求項１に記載の情報処理システム。
【請求項３】
前記観察対象特定情報は、前記観察対象の位置情報をさらに含み、
前記表示制御手段は、前記選択手段により選択された複数の画像情報のそれぞれを、当該画像情報に含まれる前記観察対象の割合と、当該画像情報を撮像した撮像装置の位置情報と前記観察対象の位置情報との距離とに基づいて決定した優先順位に応じて表示する
ことを特徴とする請求項２に記載の情報処理システム。
【請求項４】
前記観察対象特定情報は、前記情報処理装置の位置情報をさらに含み、
前記表示制御手段は、前記選択手段により選択された複数の画像情報のそれぞれを、当該画像情報に含まれる前記観察対象の割合と、当該画像情報を撮像した撮像装置の位置情報と前記観察対象の位置情報とを結ぶ第１のベクトルと、前記情報処理装置の位置情報と前記観察対象の位置情報とを結ぶ第２のベクトルとの角度と、当該画像情報を撮像した撮像装置の位置情報と前記観察対象の位置情報との距離と、にそれぞれの重みを乗じた評価値が大きい順に決定した優先順位に応じて表示する
ことを特徴とする請求項３に記載の情報処理システム。
【請求項５】
前記情報処理装置は、
前記表示制御手段により表示された前記複数の画像情報についての書き込み情報を、前記観察対象特定情報に含まれる時刻情報に関連付けて記録する記録手段をさらに含む
ことを特徴とする請求項１乃至４のいずれかに記載の情報処理システム。
【請求項６】
観察対象についての記録の入力を受け付ける手段と、
前記入力が行われた時刻情報を含み、前記観察対象を特定する観察対象特定情報を、情報管理装置に送信する送信手段と、
前記観察対象を撮像した画像情報を撮像時刻に関連付けて格納する格納手段と、前記格納手段に格納された画像情報の中から、前記観察対象特定情報に含まれる前記入力が行われた時刻情報と、撮像時刻に基づいて画像情報を選択する選択手段と、を備える前記情報管理装置から、前記選択手段により選択された画像情報を取得する取得手段と、
前記取得手段により取得された画像情報を前記観察対象についての記録を入力する画面に表示させる表示制御手段と、を含む
ことを特徴とする情報処理装置。
【請求項７】
コンピュータを、
観察対象についての記録の入力を受け付ける手段と、
前記入力が行われた時刻情報を含み、前記観察対象を特定する観察対象特定情報を、情報管理装置に送信する送信手段と、
前記観察対象を撮像した画像情報を撮像時刻に関連付けて格納する格納手段と、前記格納手段に格納された画像情報の中から、前記観察対象特定情報に含まれる前記入力が行われた時刻情報と、撮像時刻に基づいて画像情報を選択する選択手段と、を備える前記情報管理装置から、前記選択手段により選択された画像情報を取得する取得手段と、
前記取得手段により取得された画像情報を前記観察対象についての記録を入力する画面に表示させる表示制御手段として機能させるためのプログラム。
【請求項８】
観察対象を撮像した画像情報を撮像時刻に関連付けて格納する格納手段と、
観察対象についての記録の入力を受け付ける手段と、前記入力が行われた時刻情報を含み、前記観察対象を特定する観察対象特定情報を、前記情報管理装置に送信する送信手段と、を備える情報処理装置から、前記観察対象を特定する観察対象特定情報を受信する手段と、
前記格納手段に格納された画像情報の中から、前記受信した観察対象特定情報に含まれる前記入力が行われた時刻情報と、撮像時刻に基づいて画像情報を選択する選択手段と、
前記選択手段により選択された画像情報を前記情報処理装置に送信する手段と、を含む
ことを特徴とする情報管理装置。
【請求項９】
コンピュータを、
観察対象を撮像した画像情報を撮像時刻に関連付けて格納する格納手段と、
観察対象についての記録の入力を受け付ける手段と、前記入力が行われた時刻情報を含み、前記観察対象を特定する観察対象特定情報を、前記情報管理装置に送信する送信手段と、を備える情報処理装置から、前記観察対象を特定する観察対象特定情報を受信する手段と、
前記格納手段に格納された画像情報の中から、前記受信した観察対象特定情報に含まれる前記入力が行われた時刻情報と、撮像時刻に基づいて画像情報を選択する選択手段と、
前記選択手段により選択された画像情報を前記情報処理装置に送信する手段として機能させるためのプログラム。
【発明の詳細な説明】
【技術分野】
【０００１】
本発明は、情報処理システム、情報処理装置、情報管理装置及びプログラムに関する。
【背景技術】
【０００２】
プレゼンテーション、説明会等の観察者がメモ等の観察記録を取ることがある。こうした観察記録にはメモに加えて、デジタルカメラ等で現場の状況や場面を撮影した画像情報も記録されることがある。
【０００３】
例えば下記の特許文献１には、ユーザによるデジタルカメラの操作を必要とせずに現場の状況や場面を撮影した画像情報を取得する技術が記載されている。
【先行技術文献】
【特許文献】
【０００４】
【特許文献１】特開２００４−９６２７０号公報
【発明の概要】
【発明が解決しようとする課題】
【０００５】
本発明の目的の一つは、観察者が観察対象を記録する際に、観察対象を撮像した画像情報の内容を確認できる情報処理システム、情報処理装置、情報管理装置及びプログラムを提供することにある。
【課題を解決するための手段】
【０００６】
上記目的を達成するために、請求項１に記載の情報処理システムの発明は、情報処理装置と、情報管理装置とを含み、前記情報処理装置は、観察対象についての記録の入力を受け付ける手段と、前記観察対象を特定する観察対象特定情報を前記情報管理装置に送信する送信手段と、を含み、前記情報管理装置は、前記観察対象を撮像した画像情報を格納する格納手段と、前記送信手段により送信された観察対象特定情報に基づいて前記格納手段に格納された画像情報を選択する選択手段と、前記選択手段により選択された画像情報を前記情報処理装置に送信する画像情報送信手段と、を含み、前記情報処理装置はさらに、前記画像情報送信手段により送信された画像情報を前記観察対象についての記録を入力する画面に表示させる表示制御手段を含むことを特徴とする。
【０００７】
また、請求項２に記載の発明は、請求項１に記載の情報処理システムにおいて、前記観察対象特定情報は、時刻情報を含み、前記格納手段は、前記画像情報と当該画像情報が記録された時刻情報とを関連づけて格納し、前記選択手段は、前記時刻情報に基づいて前記格納手段から画像情報を選択することを特徴とする。
【０００８】
また、請求項３に記載の発明は、請求項２に記載の情報処理システムにおいて、前記観察対象特定情報は、前記観察対象の位置情報をさらに含み、前記格納手段は、前記観察対象を撮像する複数の撮像装置の各々から取得した画像情報を格納し、前記情報管理装置は、前記選択手段により選択された各画像情報を、当該各画像情報を記録した記録装置の位置情報と、前記観察対象の位置情報とに基づいて評価する評価手段をさらに含み、前記送信手段は、前記画像情報を前記評価手段による評価と共に送信し、前記表示制御手段は、前記画像情報送信手段により送信された画像情報を当該画像情報の評価に応じて表示することを特徴とする。
【０００９】
また、請求項４に記載の発明は、請求項３に記載の情報処理システムにおいて、前記観察対象特定情報は、前記情報処理装置の位置情報をさらに含み、前記評価手段は、前記選択手段により選択された各画像情報を、当該各画像情報を記録した記録装置の位置情報と、前記観察対象の位置情報と、前記情報処理装置の位置情報とに基づいて評価することを特徴とする。
【００１０】
また、請求項５に記載の情報処理装置の発明は、観察対象についての記録の入力を受け付ける手段と、前記観察対象を特定する観察対象特定情報に基づいて、前記観察対象を撮像した画像情報を取得する取得手段と、前記取得手段により取得された画像情報を前記観察対象についての記録を入力する画面に表示させる表示制御手段と、を含むことを特徴とする。
【００１１】
また、請求項６に記載のプログラムの発明は、コンピュータを、観察対象についての記録の入力を受け付ける手段と、前記観察対象を特定する観察対象特定情報に基づいて、前記観察対象を撮像した画像情報を取得する取得手段と、前記取得手段により取得された画像情報を前記観察対象についての記録を入力する画面に表示させる表示制御手段として機能させるためのプログラムである。
【００１２】
また、請求項７に記載の情報管理装置の発明は、観察対象を撮像した画像情報を格納する格納手段と、前記観察対象を特定する観察対象特定情報を受信する手段と、前記受信した観察対象特定情報に基づいて前記格納手段に格納された画像情報を選択する選択手段と、前記選択手段により選択された画像情報を送信する手段と、を含むことを特徴とする。
【００１３】
また、請求項８に記載のプログラムの発明は、コンピュータを、観察対象を撮像した画像情報を格納する格納手段と、前記観察対象を特定する観察対象特定情報を受信する手段と、前記受信した観察対象特定情報に基づいて前記格納手段に格納された画像情報を選択する選択手段と、前記選択手段により選択された画像情報を送信する手段として機能させるためのプログラムである。
【発明の効果】
【００１４】
請求項１に記載の発明によれば、観察者が観察対象を記録する際に、観察対象を撮像した画像情報の内容を確認できる。
【００１５】
請求項２に記載の発明によれば、観察者が、時刻により特定される観察対象の画像情報の内容を確認できる。
【００１６】
請求項３に記載の発明によれば、画像情報の表示態様に画像情報を撮像した撮像装置と観察対象との位置関係に応じた評価を反映できる。
【００１７】
請求項４に記載の発明によれば、画像情報の表示態様に画像情報を撮像した撮像装置と観察対象との位置関係、及び観察対象と観察者の位置関係に応じた評価を反映できる。
【００１８】
請求項５及び６に記載の発明によれば、観察者が観察対象を記録する際に、観察対象を撮像した画像情報の内容を確認できる。
【００１９】
請求項７及び８に記載の発明によれば、観察対象を撮像した画像情報のうち、観察対象を特定する情報に基づいて選択された画像情報を提供できる。
【図面の簡単な説明】
【００２０】
【図１】本実施形態に係る情報処理システムのシステム構成図である。
【図２】情報処理装置と情報管理装置の機能ブロック図である。
【図３】観察情報入力画面の一例を示す図である。
【図４】観察情報入力画面の更新例を示す図である。
【図５】観察記録データの一例を示す図である。
【図６】画像管理テーブルの一例を示す図である。
【図７】画像データを評価する評価基準の一例を説明する図である。
【図８】情報処理システムにより行われる処理の流れを説明するシーケンス図である。
【図９】観察情報入力画面の一例を示す図である。
【発明を実施するための形態】
【００２１】
以下、本発明を実施するための好適な実施の形態（以下、実施形態という）を、図面に従って説明する。
【００２２】
図１には、本実施形態に係る情報処理システム1のシステム構成図を示す。図１に示されるように、情報処理システム1は、情報処理装置１０と情報管理装置２０とを含み、情報処理装置１０と情報管理装置２０とは相互にデータ通信可能に接続される。
【００２３】
情報処理装置１０は、観察者３０（ユーザ）により操作される携帯端末であり、本実施形態では情報処理装置１０を、例えばタッチパネルを備えたタブレットＰＣにより実現することとしてよい。本実施形態では、観察者３０は、観察する対象（観察対象４０）を見ながら、手元の情報処理装置１０に情報を入力して観察記録を作成することとする。
【００２４】
情報管理装置２０は、観察対象４０を撮像した画像データを管理するサーバー装置である。本実施形態では、情報管理装置２０は、観察対象４０が存在する観察空間５０に設置された複数のデジタルカメラ６０により観察対象４０を撮像した画像データを管理するものである。また、本実施形態では、情報管理装置２０は、情報処理装置１０から観察対象４０を特定する情報を含む画像データの転送要求を受け付けると、当該受け付けた要求に応じて管理する画像データの中から該当する画像データを検索し、当該検索した画像データを情報処理装置１０に転送する。
【００２５】
デジタルカメラ６０はそれぞれ観察空間５０の予め定められた位置に配置され、撮像した画像データをデータ通信可能に接続された情報管理装置２０に転送するものである。情報管理装置２０は、各デジタルカメラ６０の位置及び撮像範囲をデータとして管理することとする。以下、図２に示した情報処理装置１０と情報管理装置２０の機能ブロック図を参照しながら、各々が備える機能の詳細について説明する。
【００２６】
図２に示されるように、情報処理装置１０は、制御部８０、時間管理部８２、通信部８４、入力部８６、表示部８８、位置情報取得部９０、画像情報取得部９２、表示制御部９４、及びデータ格納部９６を備える。上記の各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてよい。なお、プログラムは情報記憶媒体によってコンピュータたる情報処理装置１０に供給されることとしてもよいし、インターネット等のデータ通信手段を介して供給されることとしてもよい。
【００２７】
制御部８０は、中央処理プロセッサ（ＣＰＵ）を含み構成され、データ処理を行うほか、情報処理装置１０の各部を制御するものである。
【００２８】
時間管理部８２は、時計機能を有し時間を管理するものである。
【００２９】
通信部８４は、通信インターフェースを含み構成され、外部デバイスとデータ通信を行うものである。例えば通信部８４は、無線又は有線により情報管理装置２０とデータ通信を行うこととしてよい。
【００３０】
入力部８６は、観察者３０の操作入力を受け付ける入力デバイスであり、例えば液晶ディスプレイ上に設けられたタッチパネルとして構成されることとしてよい。
【００３１】
表示部８８は、グラフィックデータに基づいてユーザインターフェース（ＵＩ）画面を表示するものであり、例えば液晶ディスプレイにより実現されることとしてよい。なお、本実施形態では情報処理装置１０には表示部８８が備えられていることとするが、表示部８８は情報処理装置１０とは別体に構成し、情報処理装置１０から出力されたグラフィックデータを別体の表示部８８に表示することとしても構わない。
【００３２】
情報処理装置１０では、観察者３０の入力に応じて観察対象４０を記録するプログラムが起動されると、表示部８８に観察情報入力画面１２０が表示される。
【００３３】
図３には、表示部８８に表示される観察情報入力画面１２０の一例を示す。図３に示されるように、観察情報入力画面１２０には観察メモ入力領域１２２が含まれる。観察メモ入力領域１２２には、時刻、観察者、観察メモ、場所、画像の各項目が入力される欄が含まれる。
【００３４】
「時刻」の欄には、例えば時刻ボタンをペン又は手で押下した際の時刻や他の欄への情報入力が行われた時刻を時間管理部８２から取得して、当該取得した時刻を格納することとしてもよいし、観察者３０が入力した時刻を格納することとしてもよい。「観察者」の欄には、予め記憶された利用者毎に設けられたチェックボックスへの入力に応じて選択された観察者の名前を格納することとしてもよいし、観察者３０が入力した観察者の名前を格納することとしてもよい。「観察メモ」の欄には、観察者３０によりペンで入力された手書きメモ情報を格納することとしてもよいし、キーボードにより入力された文字データを格納することとしてもよい。「場所」の欄には、観察空間５０に対応したマップデータが表示されており、マップデータにおいてペンにより入力した位置を格納することとしてよい。「画像」の欄には、情報管理装置２０から取得した観察対象４０を撮影した画像データを格納する。
【００３５】
位置情報取得部９０は、観察対象４０の位置情報を取得するものであり、本実施形態では観察対象４０に加えて観察者３０の位置情報も併せて取得することとする。例えば位置情報取得部９０は、観察対象４０の位置を観察情報入力画面１２０の場所の欄に入力された情報に基づいて取得することとしてよい。具体的には、位置情報取得部９０は、場所の欄で指定された座標データに基づいて、当該座標データに対応する観察空間５０の位置データを取得することとする。観察空間５０の位置データは、例えば、観察空間５０を予め定められた大きさの領域に分割し、当該分割された各領域の位置（ｘｉ，ｙｊ）により表されることとしてよい。なお、領域（ｘｉ，ｙｊ）は、基準点Ｏから水平方向にｉ番目、垂直方向にｊ番目の領域を表すこととする。
【００３６】
位置情報取得部９０は、観察者３０の位置情報については、観察対象４０と同様に観察情報入力画面１２０への入力に基づいて位置データを取得することとしてもよいし、情報処理装置１０に位置センサ（ＧＰＳや赤外線センサ等）を備え付け、当該位置センサにより検知される情報に基づいて、観察空間５０における観察者３０の位置データを取得することとしてもよい。
【００３７】
画像情報取得部９２は、観察対象４０について観察空間５０に備え付けられたデジタルカメラ６０により撮像された画像データを情報管理装置２０から取得するものである。本実施形態では、画像情報取得部９２は、観察情報入力画面１２０に入力された時刻、位置情報取得部９０により取得された観察対象４０及び観察者３０の位置情報を、通信部８４を介して情報管理装置２０に送信し、当該送信した情報に応じて情報管理装置２０により選択された観察対象４０の画像データを、通信部８４を介してダウンロードする。なお、情報管理装置２０による画像データの選択処理の詳細については後述する。
【００３８】
表示制御部９４は、表示部８８に表示される情報を制御するものであり、例えば本実施形態では、画像情報取得部９２により画像データを取得した場合には、当該取得した画像データに基づいて観察情報入力画面１２０の表示を更新することとする。
【００３９】
図４には、観察情報入力画面１２０の更新例を示した。図４に示されるように、観察情報入力画面１２０には、観察者３０が入力している観察記録に対して画像情報取得部９２により取得した画像データが表示される画像表示領域１２４が含まれる。画像情報取得部９２により複数の画像データが取得された場合には、画像表示領域１２４には、各画像データによる画像が表示されることとしてよく、各画像の表示位置は当該各画像について情報管理装置２０により付与された評価値に応じて決定されることとしてよい。なお、各画像に付与される評価値の詳細については後述する。例えば、図４の例で、画像データの評価値に応じて画像データの表示領域を異ならせることとしてよく、評価値が最も高い画像データの表示領域を他の画像データに比べて大きくすることとしてもよい。
【００４０】
また、観察情報入力画面１２０の画像表示領域１２４に表示された画像上に観察者３０が書き込みを行った場合には、当該書き込みの情報を併せて記録することとしてよい。そして、観察者３０により観察情報入力画面１２０の登録ボタンが押下されると、制御部８０は、入力された各項目をそれぞれ関連づけた観察記録データを生成してデータ格納部９６に格納することとする。
【００４１】
データ格納部９６は、磁気ディスク装置や半導体メモリ等の記憶デバイスを含み構成され、各種データを格納するものであり、本実施形態では、例えば画像情報取得部９２により取得された画像データや、制御部８０により生成された観察記録データ等を格納するものである。
【００４２】
図５には、データ格納部９６に格納される観察記録データの一例を示した。図５に示されるように、観察記録データは、観察記録ＩＤに関連づけて、時刻情報、観察者情報、観察メモ情報、場所情報、画像情報、書き込み情報を記憶したテーブルとして構成されることとしてよい。
【００４３】
次に、情報管理装置２０に備えられた機能について説明する。図２に示されるように情報管理装置２０は、制御部２００、通信部２０２、撮像画像取得部２０４、画像データ格納部２０６、及び画像データ選択部２０８を備える。上記の各部の機能は、ＣＰＵ等の制御手段、メモリ等の記憶手段、外部デバイスとデータを送受信する入出力手段等を備えたコンピュータが、コンピュータ読み取り可能な情報記憶媒体に格納されたプログラムを読み込み実行することで実現されるものとしてよい。なお、プログラムは情報記憶媒体によってコンピュータたる情報管理装置２０に供給されることとしてもよいし、インターネット等のデータ通信手段を介して供給されることとしてもよい。
【００４４】
制御部２００は、中央処理プロセッサ（ＣＰＵ）を含み構成され、データ処理を行うほか、情報管理装置２０の各部を制御するものである。
【００４５】
通信部２０２は、通信インターフェースを含み構成され、外部デバイスとデータ通信を行うものである。例えば通信部２０２は、無線又は有線により情報処理装置１０とデータ通信を行うこととしてよい。
【００４６】
撮像画像取得部２０４は、観察空間５０に設置されたデジタルカメラ６０の各々により撮像された画像データを取得するものである。撮像画像取得部２０４は、有線又は無線の通信インターフェースを含み、当該通信インターフェースを介してデジタルカメラ６０の各々により撮像された画像データを取得することとしてよい。各デジタルカメラ６０からの画像データの取得は予め定められた時間間隔毎に行うこととしてもよいし、情報管理装置２０による画像転送要求に応じて各デジタルカメラ６０から取得することとしてもよい。なお、デジタルカメラ６０から取得する画像データは、静止画像データであってもよいし、動画像データであってもよい。
【００４７】
画像データ格納部２０６は、磁気ディスク装置や半導体メモリ等の記憶デバイスを含み構成され、撮像画像取得部２０４により取得された画像データを格納するものである。
【００４８】
図６には、画像データ格納部２０６に格納される画像管理テーブルの一例を示す。図６に示されるように画像管理テーブルは、画像を一意に識別する画像ＩＤに関連づけて、デジタルカメラＩＤ、撮像時刻、画像データをそれぞれ格納したレコードを１又は複数含み構成されることとしてよい。「デジタルカメラＩＤ」は、画像を撮像したデジタルカメラ６０を識別する情報であり、「撮像時刻」は画像を撮像した時刻であり、「画像データ」は撮像された画像データのデータ名を示す。なお、画像データが静止画像か動画像であるかは、画像データの識別子（例えば静止画像はｊｐｇ、動画像はｍｐｇ等）によって判別することとしてよい。
【００４９】
画像データ選択部２０８は、通信部２０２を介して情報処理装置１０から画像データの転送要求を受け付けた場合に、当該転送要求に基づいて画像データ格納部２０６に格納された画像データの中から該当する画像データを選択するものである。本実施形態では、画像データの転送要求には、時刻情報と、観察対象４０及び観察者３０の位置情報が含まれ、画像データ選択部２０８は、画像データの転送要求に含まれる時刻情報と、観察対象４０及び観察者３０の位置情報に基づいて、当該転送要求に該当する画像データを選択することとする。以下、画像データ選択部２０８による画像データの選択処理の一例を具体的に説明する。
【００５０】
画像データ選択部２０８は、情報処理装置１０から受信した時刻情報に基づいて画像データ格納部２０６に格納される画像管理テーブルから画像データを選択する。画像データ選択部２０８は、例えば各デジタルカメラ６０により撮像された画像データのうち、受信した時刻情報に最も撮像時刻が近い画像データを選択することとしてよい。そして、画像データ選択部２０８は、上記選択した各画像データについて、情報処理装置１０から受信した観察対象４０及び観察者３０の位置情報に基づいて評価値を付与する。以下、評価値の付与処理の詳細について説明する。
【００５１】
図７には、選択された画像データを評価する評価基準の一例を説明する図を示した。本実施形態における評価基準は、観察対象４０が写っていること、写っている観察対象４０が観察者３０からの視点に近いこと、観察対象４０が精度良く写っていること（すなわち、観察対象４０を近くから撮れていること）の３つを用いることとするが、これら以外の基準を用いることとしても構わない。
【００５２】
図７に示されるように、観察空間５０には、観察者３０、観察対象４０、デジタルカメラ６０がそれぞれ存在している。情報管理装置２０は、各デジタルカメラ６０の位置及び撮像範囲と、観察者３０の位置と、観察対象４０の位置とに基づいて、各デジタルカメラ６０により撮像された画像データについての評価値をそれぞれ算出する。
【００５３】
具体的には、画像データ選択部２０８は、各デジタルカメラ６０により撮像された画像データの評価値を、以下の式（１）に基づいて算出する。
Ｅｖ＝α・Ｃ＋β・Ｓ＋γ・Ｄ      ・・・（１）
ここで、α、β、γは係数（重み）であり、値は予め定めておくこととしてよい。Ｃはデジタルカメラ６０による観察対象４０のカバー率を表し、Ｃはデジタルカメラ６０の撮像範囲に観察対象４０が含まれる割合として算出することとしてよい。Ｓは観察者３０とデジタルカメラ６０との視線方向の類似度を表し、Ｓはデジタルカメラ６０の位置と観察対象４０の位置とを結ぶベクトルと、観察者３０の位置と観察対象４０の位置とを結ぶベクトルとの角度（又は内積）として算出することとしてよい。Ｄは、デジタルカメラ６０と観察対象４０との距離を表す。
【００５４】
本実施形態では、画像データ選択部２０８は、検索された画像データの各々について式（１）に基づく評価値を算出して、当該算出した評価値が大きい順に優先順位を付与する。そして、画像データ選択部２０８により選択された画像データは、上記付与された優先順位と共に通信部２０２を介して情報処理装置１０に送信される。
【００５５】
次に、図８に示したシーケンス図を参照しながら、情報処理システム1により行われる処理の流れを説明する。
【００５６】
図８に示されるように、観察空間５０内で観察対象４０のイベントが実行されている間に、観察空間５０に配置された各デジタルカメラ６０が観察対象４０を予め定められた時間毎に撮像して（Ｓ１０１）、撮像した画像データを情報管理装置２０に転送する（Ｓ１０２）。情報管理装置２０は、各デジタルカメラ６０から転送された画像データを撮像時刻と関連づけて格納する（Ｓ１０３）。
【００５７】
情報処理装置１０は、観察者３０により観察情報入力画面１２０への情報入力が開始されると（Ｓ１０４）、入力された内容に基づいて時間情報と、観察者３０及び観察対象４０の位置情報を取得し（Ｓ１０５）、取得した時間情報と、観察者３０及び観察対象４０の位置情報とを含む画像データの転送要求を情報管理装置２０に送信する（Ｓ１０６）。
【００５８】
情報管理装置２０は、情報処理装置１０から送信された時間情報と、観察者３０及び観察対象４０の位置情報に基づいて、格納された画像データの中から該当する画像データを選択し（Ｓ１０７）、さらに当該選択した画像データをそれぞれ評価して優先順位を付与し（Ｓ１０８）、優先順位を付与した各画像データを情報処理装置１０に送信する（Ｓ１０９）。
【００５９】
情報処理装置１０は、情報管理装置２０から画像データを受信すると、当該受信した画像データをその優先順位に応じた配置、態様で観察情報入力画面１２０に表示する（Ｓ１１０）。そして、情報処理装置１０は、観察者３０からの入力に応じて画像への書き込み情報を保持し、観察情報入力画面１２０に入力された情報に基づいて観察情報を格納する（Ｓ１１１）。
【００６０】
情報処理装置１０から情報管理装置２０への画像データの転送要求は、観察記録の開始時に行われることとしてもよいし、予め定められた時間間隔で定期的に行われることとしてもよいし、観察者３０の指示に応じて行われることとしてもよい。その際に、画像データの転送要求に含まれる情報は、転送要求毎に更新されることとしてよい。
【００６１】
情報処理システム１では、観察者３０の観察情報入力画面１２０への入力に応じて特定された時刻に観察空間５０に配備されたデジタルカメラ６０により撮像された観察対象４０の画像データを情報処理装置１０が取得し、当該取得した画像データを観察情報入力画面１２０に表示することで、観察者３０はデジタルカメラ６０を操作する必要なしに、観察対象４０の画像データを確認する。また、観察記録時に画像データを表示することで、後に画像データを選択する場合に比べて保存する画像データの選択が容易となる上に、観察対象４０を撮像した画像上に情報を書き込むことで、単純なテキストと比べて観察記録の情報量が多くなる。
【００６２】
本発明は上述した実施形態に限定されるものではない。例えば、上記の実施形態では、画像データ選択部２０８は、情報処理装置１０から受信した時刻情報に基づいて複数のデジタルカメラ６０により撮像された画像データを選択することとしたが、複数のデジタルカメラ６０の中から上記の式（１）に基づく評価値が最上位のデジタルカメラ６０による上記の時刻情報を含む複数の時点において撮像された画像データを選択することとしてもよい。この場合には、図９の観察情報入力画面１２０の一例に示されるように、画像データが撮像された時刻の順に画像データを配置し、観察者３０により選択された画像データを観察記録データとして記録することとしてもよい。
【００６３】
また、画像データ選択部２０８は、時刻情報に基づいて選択した画像データのうち、評価値が閾値を上回るものを絞り込んで情報処理装置１０に転送することとしてもよい。
【００６４】
また、上記の実施形態では、情報処理装置１０と情報管理装置２０とを別体に構成しているが、これらを一体に構成することとしても構わない。
【符号の説明】
【００６５】
１  情報処理システム、１０  情報処理装置、２０  情報管理装置、３０  観察者（ユーザ）、４０  観察対象、５０  観察空間、６０  デジタルカメラ、８０  制御部、８２  時間管理部、８４  通信部、８６  入力部、８８  表示部、９０  位置情報取得部、９２  画像情報取得部、９４  表示制御部、９６  データ格納部、１２０  観察情報入力画面、１２２  観察メモ入力領域、１２４  画像表示領域、２００  制御部、２０２  通信部、２０４  撮像画像取得部、２０６  画像データ格納部、２０８  画像データ選択部。
【図１】
0005493581.tif 000002
【図２】
0005493581.tif 000003
【図３】
0005493581.tif 000004
【図４】
0005493581.tif 000005
【図５】
0005493581.tif 000006
【図６】
0005493581.tif 000007
【図７】
0005493581.tif 000008
【図８】
0005493581.tif 000009
【図９】
0005493581.tif 000010